(57)【要約】【課題】オートアイリス機能付の撮像装置において、外乱による輝度レベルの一時的変化や被写体の一部分のみの明るさの周期的変動にはアイリス制御が追従しないようにするとともに、被写体自体の明るさの変動に対するアイリス制御の追従性を高める。【解決手段】オートアイリス機構を有する光学レンズ系１１と、光学レンズ系１１への入射光が照射される撮像素子１２と、撮像素子１２の出力信号から映像信号を生成する信号処理回路１５と、信号処理回路１５で生成された輝度信号のレベルの時間的変動の大きさに応じて、この輝度信号のレベルへの追従の度合いを制限してオートアイリス機構を制御するアイリス制御手段１７とを備える。【選択図】      図４
2004297382.tif 000002
【特許請求の範囲】
【請求項１】
オートアイリス機構を有する光学レンズ系と、
前記光学レンズ系への入射光が照射される撮像素子と、
前記撮像素子の出力信号から映像信号を生成する信号処理回路と、
前記信号処理回路で生成された輝度信号のレベルの時間的変動の大きさに応じて、前記輝度信号のレベルへの追従の度合いを制限して前記オートアイリス機構を制御するアイリス制御手段と
を備えたことを特徴とする撮像装置。
【請求項２】
請求項１に記載の撮像装置において、
前記アイリス制御手段は、
前記信号処理回路で生成された輝度信号のレベルに基づき、前記オートアイリス機構に対する制御値を計算する制御値計算手段と、
前記信号処理回路で生成された輝度信号のレベルの微分値を計算する微分値計算手段と、
前記微分値計算手段で計算された微分値の大小に応じて、前記オートアイリス機構に対する制御許容値を増減設定する許容値設定手段と
を含み、前記許容値設定手段で設定された前記制御許容値と、前記制御値計算手段で計算された前記制御値とのうちの小さいほうの値によって前記オートアイリス機構を制御することを特徴とする撮像装置。
【請求項３】
請求項２に記載の撮像装置において、
前記許容値設定手段は、前記微分値計算手段で計算された微分値の大小に応じて、直前に設定した制御許容値を相対的に増減させることを特徴とする撮像装置。
【請求項４】
オートアイリス機構を有する光学レンズ系と、
前記光学レンズ系への入射光が照射される撮像素子と、
前記撮像素子の出力信号から映像信号を生成する信号処理回路と
を設けた撮像装置におけるアイリス制御方法において、
前記信号処理回路で生成された輝度信号のレベルの時間的変動の大きさに応じて、前記輝度信号のレベルへの追従の度合いを制限して前記オートアイリス機構を制御するようにしたことを特徴とするアイリス制御方法。
【請求項５】
請求項４に記載のアイリス制御方法において、
前記信号処理回路で生成された輝度信号のレベルに基づき、前記オートアイリス機構に対する制御値を計算する第１のステップと、
前記信号処理回路で生成された輝度信号のレベルの微分値を計算する第２のステップと、
前記第２のステップで計算した微分値の大小に応じて、前記オートアイリス機構に対する制御許容値を増減設定する第３のステップと、
前記第３のステップで設定した前記制御許容値と、前記第１のステップで計算した前記制御値とのうちの小さいほうの値によって前記オートアイリス機構を制御する第４のステップと
を有することを特徴とするアイリス制御方法。
【請求項６】
請求項５に記載のアイリス制御方法において、
前記第３のステップでは、前記第２のステップで計算した微分値の大小に応じて、直前に設定した制御許容値を相対的に増減させることを特徴とするアイリス制御方法。
【発明の詳細な説明】
【０００１】
【発明の属する技術分野】
本発明は、オートアイリス機能付の撮像装置、及び、オートアイリス機能付の撮像装置におけるアイリス制御方法に関する。
【０００２】
【従来の技術】
ビデオカメラ等の撮像装置には、入射光量に応じてアイリス（絞り）を自動調整する機能であるオートアイリス機能付のものが存在する。
【０００３】
図１は、オートアイリス機能付のビデオカメラの主要部の回路構成を示すブロック図である。被写体からの光が、オートアイリス機構を有する光学レンズ系１（例えばＤＣサーボレンズを使用したもの）を経て撮像素子２（例えばＣＣＤ）に入射する。撮像素子２の出力信号は、ゲイン調整回路３でゲイン調整され、ＡＤコンバータ４でデジタル変換されて、デジタル信号処理回路５に送られる。
【０００４】
デジタル信号処理回路５は、ゲイン調整・デジタル変換された撮像素子２の出力信号から、映像信号（輝度信号及び色信号）を生成する。デジタル信号処理回路５で生成された映像信号は、ＤＡコンバータ６でアナログ変換されて、外部に出力される。
【０００５】
また、デジタル信号処理回路５からは、生成した輝度信号のレベル（平均値及びピーク値）を示す情報が、アイリス制御用のマイクロコンピュータ７に送られる。マイクロコンピュータ７は、このデジタル信号処理回路５からの輝度レベルの情報に基づき、光学レンズ系１のオートアイリス機構から送られるアイリスの現在の位置（開閉の度合い）の情報を参照しつつ、オートアイリス機構を制御してアイリスを調整する。
【０００６】
従来のオートアイリス機能付の撮像装置では、このマイクロコンピュータ７に相当するアイリス制御用のマイクロコンピュータが、デジタル信号処理回路からの情報が示す輝度レベルから、撮像素子への入射光量を常に一定量にするような制御値を計算し、その制御値分だけアイリスの位置を調整していた（すなわち、デジタル信号処理回路からの情報が示す輝度レベルに常に忠実に追従してアイリス制御を行っていた）（例えば、特許文献１参照）。
【０００７】
【特許文献１】
特開２００２−２３２７７６号公報（段落番号０００２〜０００３）
【０００８】
【発明が解決しようとする課題】
しかし、輝度レベルは、被写体自体の明るさが変動することによって変化するだけでなく、外乱によっても変化する（例えば、被写体自体の明るさは安定していても、撮像装置の前を一瞬障害物が横切ったことにより輝度レベルが一時的に減少することや、フラッシュが焚かれたことにより輝度レベルが一時的に増加することがある）。
【０００９】
従来のように輝度レベルに常に忠実に追従してアイリス制御を行うと、こうした外乱による輝度レベルの一時的変化にまで追従してしまうので、実際には被写体の明るさは変化していないにもかかわらず、被写体の明るさが変動しているように撮影されてしまう。
【００１０】
図２は、そのことを例示した図であり、図２Ａは輝度レベルの経時的変化を示し、図２Ｂは従来のアイリス制御でのこの輝度レベルの変化に対するアイリスの開閉の度合いを示している。図２Ａのように、時刻ｔ０からｔ２までの期間（１フレームよりも十分に長い期間であり、例えば数秒以上の期間である）は、被写体の明るさが安定しているので、輝度レベルは一定である。ただし、この期間のうちの時刻ｔ１には、撮像装置の前を一瞬障害物が横切ったことにより、輝度レベルが一時的に減少している。そして、時刻ｔ２以降は、被写体自体の明るさが変動することによって輝度レベルが変動している（一度緩やかに変動し、安定した後、連続的に大きく変動している）。
【００１１】
そして、図２Ｂのように、被写体の明るさが安定している時刻ｔ０からｔ２までの期間でも、時刻ｔ１には、障害物の通過という外乱による輝度レベルの一時的変化に追従してアイリスが開いているので、被写体の明るさが変動しているように撮影されてしまう。
【００１２】
さらに、従来のように輝度レベルに常に忠実に追従してアイリス制御を行うと、被写体の一部分のみの明るさが短い周期で変動している場合（例えば、被写体である人物が身に付けているアクセサリーが揺れて光っているような場合）にも、その周期的変動に追従してしまう（アイリスの開閉の度合いが短い周期で少しずつ変動するいわゆるハンチングという現象が起きる）で、被写体全体の明るさが短い周期で少しずつ変動しているように撮影されてしまう。
【００１３】
このような外乱による輝度レベルの一時的変化や被写体の一部分のみの明るさの周期的変動に追従しないようにする方法としては、輝度レベルへの追従の度合いを小さくする（ゲインを下げる）という方法も考えられる。しかし、この方法では、逆に、被写体自体の明るさが時間とともに変動する場合に、その変動に対する追従性が悪くなってしまう。
【００１４】
図３は、そのことを例示した図であり、図３Ａは図２Ａと全く同じ輝度レベルの経時的変化を示し、図３Ｂはゲインを下げた場合のこの輝度レベルの変化に対するアイリスの開閉の度合いを示している。
【００１５】
図３Ｂのように、被写体の明るさが安定している時刻ｔ０からｔ２までの期間では、障害物の通過という外乱が存在した時刻ｔ１にも、アイリスの開閉の度合いはほとんど変化していない。したがって、実際には被写体の明るさは変化していないにもかかわらず、被写体の明るさが変動しているように撮影されることは防止される。
【００１６】
しかし、逆に、被写体自体の明るさが変動している時刻ｔ２以降にもアイリスの開閉の度合いがあまり変化していないので、被写体の明るさの変動に対する追従性が悪くなっている。
【００１７】
本発明は、上述の点に鑑み、オートアイリス機能付の撮像装置において、外乱による輝度レベルの一時的変化や被写体の一部分のみの明るさの周期的変動にはアイリス制御が追従しないようにするとともに、被写体自体の明るさの変動に対するアイリス制御の追従性を高めることを課題としてなされたものである。
【００１８】
【課題を解決するための手段】
この課題を解決するために、本出願人は、オートアイリス機構を有する光学レンズ系と、この光学レンズ系への入射光が照射される撮像素子と、この撮像素子の出力信号から映像信号を生成する信号処理回路と、この信号処理回路で生成された輝度信号のレベルの時間的変動の大きさに応じて、この輝度信号のレベルへの追従の度合いを制限してこのオートアイリス機構を制御するアイリス制御手段とを備えた撮像装置を提案する。
【００１９】
この撮像装置では、信号処理回路で生成された輝度信号のレベルへの追従の度合いを、この輝度信号のレベルの時間的変動の大きさに応じて制限するようにして、アイリス制御手段によってオートアイリス機構が制御される。
【００２０】
したがって、輝度レベルの時間的変動が小さい期間（すなわち、被写体の明るさが安定している期間や、被写体の一部分のみの明るさが周期的に変動している期間）では、アイリス制御が輝度レベルに追従することに対する制限が厳しくなるので、アイリス制御が輝度レベルに追従しなくなる。
【００２１】
これにより、外乱による輝度レベルの一時的変化に追従して被写体体の明るさが変動しているように撮影されることや、被写体の一部分のみの明るさが周期的に変動していることを原因としてハンチングにより被写体全体の明るさが周期的に少しずつ変動しているように撮影されることがなくなる。
【００２２】
他方、輝度レベルの時間的変動が大きい期間（すなわち、被写体自体の明るさが或る程度以上変動している期間）では、アイリス制御が輝度レベルに追従することに対する制限が緩やかになるので、アイリス制御が輝度レベルに追従するようになる。これにより、被写体自体の明るさの変動に対するアイリス制御の追従性が高まる。
【００２３】
このようにして、外乱による輝度レベルの一時的変化や被写体の一部分のみの明るさの周期的変動にはアイリス制御が追従しないようになるとともに、被写体自体の明るさの変動に対するアイリス制御の追従性が高まる。
【００２４】
なお、この撮像装置において、一例として、アイリス制御手段は、信号処理回路で生成された輝度信号のレベルに基づき、オートアイリス機構に対する制御値を計算する制御値計算手段と、信号処理回路で生成された輝度信号のレベルの微分値を計算する微分値計算手段と、この微分値計算手段で計算された微分値の大小に応じて、オートアイリス機構に対する制御許容値を増減設定する許容値設定手段とを含み、この許容値設定手段で設定された制御許容値と、この制御値計算手段で計算された制御値とのうちの小さいほうの値によってオートアイリス機構を制御するものであることが好適である。
【００２５】
さらに、アイリス制御手段をこのように構成する場合には、一例として、許容値設定手段は、微分値計算手段で計算された微分値の大小に応じて、直前に設定した制御許容値を相対的に増減させるものであることが好適である。
【００２６】
それにより、制御許容値が段階的に増減設定されるようになるので、アイリス制御が輝度レベルに追従することに対する制限を、段階的に厳しくしたり緩やかにしたりすることができるようになる。
【００２７】
次に、本出願人は、オートアイリス機構を有する光学レンズ系と、この光学レンズ系への入射光が照射される撮像素子と、この撮像素子の出力信号から映像信号を生成する信号処理回路とを設けた撮像装置におけるアイリス制御方法において、この信号処理回路で生成された輝度信号のレベルの時間的変動の大きさに応じて、この輝度信号のレベルへの追従の度合いを制限してこのオートアイリス機構を制御するようにしたアイリス制御方法を提案する。
【００２８】
このアイリス制御方法によれば、前述の本発明に係る撮像装置について説明したのと全く同様にして、外乱による輝度レベルの一時的変化や被写体の一部分のみの明るさの周期的変動にはアイリス制御が追従しないようになるとともに、被写体自体の明るさの変動に対するアイリス制御の追従性が高まる。
【００２９】
【発明の実施の形態】
以下、本発明を図面を用いて具体的に説明する。図４は、本発明を適用したビデオカメラの主要部の回路構成を示すブロック図である。被写体からの光が、オートアイリス機構を有する光学レンズ系１１（例えばＤＣサーボレンズを使用したもの）を経て撮像素子１２（例えばＣＣＤ）に入射する。撮像素子１２の出力信号は、ゲイン調整回路１３でゲイン調整され、ＡＤコンバータ１４でデジタル変換されて、デジタル信号処理回路１５に送られる。
【００３０】
デジタル信号処理回路１５は、ゲイン調整・デジタル変換された撮像素子１２の出力信号から、映像信号（輝度信号及び色信号）を生成する。デジタル信号処理回路１５で生成された映像信号は、ＤＡコンバータ１６でアナログ変換されて、外部に出力される。
【００３１】
また、デジタル信号処理回路１５からは、生成した輝度信号のレベル（平均値及びピーク値）を示す情報が、アイリス制御用のマイクロコンピュータ１７に送られる。
【００３２】
光学レンズ系１１からＤＡコンバータ１６までの構成は、図１に示した既存のオートアイリス機能付ビデオカメラの光学レンズ系１からＤＡコンバータ６までの構成と全く同じである。また、マイクロコンピュータ１７も、ハードウェア構成としては、図１に示した既存のオートアイリス機能付ビデオカメラのアイリス制御用のマイクロコンピュータ７と全く同じである。
【００３３】
ただし、マイクロコンピュータ１７には、図５に示すようなアイリス制御処理を実行するためのプログラムが格納されている。この処理は、１フレーム毎に開始されるものであり、最初に、デジタル信号処理回路１５から送られた輝度レベル情報を取得する（ステップＳ１）。
【００３４】
そして、デジタル信号処理回路１５からの情報が示す輝度レベルから、撮像素子１２への入射光量を常に一定量にするような制御値を計算する。具体的には、例えば、輝度の平均値とピーク値とを所定の割合で混合した値と、一定の入射光量に対応した目標値との差を求め、その差を制御値として決定する（ステップＳ２）。このステップＳ２の処理自体は、従来のアイリス制御方法における制御値の計算方法と同じである。
【００３５】
続いて、最初の１フレーム目についての処理であるか否かを判断する（ステップＳ３）。イエスであれば、ステップＳ２で通常計算される制御値以上の値を、制御許容値として設定する（ステップＳ４）。そしてステップＳ１０に進む。
【００３６】
ステップＳ３でノーであれば（すなわち２フレーム目以降のフレームについての処理であれば）、直前のフレームに対する輝度レベルの微分値を計算する。すなわち、直前のフレームについての処理でデジタル信号処理回路１５から送られた輝度レベル情報が示す輝度レベルと、今回の処理でデジタル信号処理回路１５から送られた輝度レベル情報が示す輝度レベルとの差分を計算する（ステップＳ５）。
【００３７】
続いて、ステップＳ５で計算した微分値が、所定の第１の閾値（十分大きな値）以上であるか否かを判断する（ステップＳ６）。イエスであれば、直前のフレームについての処理で設定された制御許容値に、一定値を加算する（ステップＳ７）。そしてステップＳ８に進む。他方、ステップＳ６でノーであれば、そのままステップＳ８に進む。
【００３８】
ステップＳ８では、ステップＳ５で計算した微分値が、第１の閾値よりも小さい第２の閾値（十分小さな値）未満であるか否かを判断する。イエスであれば、直前のフレームについての処理で設定された制御許容値から、一定値を減算する（ステップＳ９）。そしてステップＳ１０に進む。他方、ステップＳ８でノーであれば、そのままステップＳ１０に進む。
【００３９】
ステップＳ１０では、ステップＳ２で計算した制御値と、制御許容値（ステップＳ７またはＳ９を経た場合にはそのステップで増減設定された許容値であり、ステップＳ７またはＳ９を経ていない場合には直前のフレームについての処理で設定された制御許容値のままである）とを比較し、制御値が現在の制御許容値以下であるか否かを判断する。
【００４０】
イエスであれば、光学レンズ系１１のオートアイリス機構から送られるアイリスの現在の位置（開閉の度合い）の情報を参照しつつ、ステップＳ２で計算した制御値分だけオートアイリス機構を制御してアイリスを調整する（ステップＳ１１）。そして処理を終了する。
【００４１】
他方、ステップＳ１０でノーであれば、光学レンズ系１１のオートアイリス機構から送られるアイリスの現在の位置情報を参照しつつ、制御許容値だけオートアイリス機構を制御してアイリスを調整する（ステップＳ１２）。そして処理を終了する。
【００４２】
次に、このビデオカメラでのアイリス制御の様子を説明する。このビデオカメラでは、デジタル信号処理回路１５で生成された輝度信号のレベルに基づいてオートアイリス機構に対する制御値が計算される（図５のステップＳ２）だけでなく、この輝度信号のレベルの微分値が計算され（図５のステップＳ５）、その微分値の大小に応じて、オートアイリス機構に対する制御許容値が増減設定される（図５のステップＳ６〜Ｓ９）。そして、その制御許容値と制御値とのうちの小さいほうの値によってオートアイリス機構が制御される（図５のステップＳ１０〜Ｓ１２）。
【００４３】
したがって、輝度信号のレベルの微分値が十分小さい期間（すなわち、被写体の明るさが安定している期間や、被写体の一部分のみの明るさが周期的に変動している期間）では、制御許容値が減少し続けることによって制御値よりも小さくなり、その制御許容値によってオートアイリス機構が制御される（アイリス制御が輝度レベルに追従することに対する制限が厳しくなる）ので、アイリス制御が輝度レベルに追従しなくなる。
【００４４】
これにより、被写体の明るさが安定しているときに、外乱による輝度レベルの一時的変化（例えば、撮像装置の前を一瞬障害物が横切ったことにより輝度レベルが一時的に減少したことや、フラッシュが焚かれたことにより輝度レベルが一時的に増加したこと）に追従して被写体体の明るさが変動しているように撮影されることがなくなる。
【００４５】
また、被写体の一部分のみの明るさが短い周期で変動しているとき（例えば、被写体である人物が身に付けているアクセサリーが揺れて光っているとき）にも、そのことを原因としてハンチングにより被写体全体の明るさが周期的に少しずつ変動しているように撮影されることがなくなる。
【００４６】
他方、輝度信号のレベルの微分値が十分大きい期間（すなわち、被写体自体の明るさが或る程度以上変動している期間）では、制御許容値が増加し続けることによって制御値よりも大きくなり、制御値によってオートアイリス機構が制御される（アイリス制御が輝度レベルに追従することに対する制限が緩やかになる）ので、アイリス制御が輝度レベルに追従するようになる。これにより、被写体自体の明るさの変動に対するアイリス制御の追従性が高まる。
【００４７】
図６は、そのことを例示した図であり、図６Ａは図２Ａと全く同じ輝度レベルの経時的変化を示し、図６Ｂはこのビデオカメラでのこの輝度レベルの変化に対するアイリスの開閉の度合いを示している。図６Ａのように、時刻ｔ０からｔ２までの期間（１フレームよりも十分に長い期間であり、例えば数秒以上の期間である）は、被写体の明るさが安定しているので、輝度レベルは一定である。ただし、この期間のうちの時刻ｔ１には、撮像装置の前を一瞬障害物が横切ったことにより、輝度レベルが一時的に減少している。そして、時刻ｔ２以降は、被写体自体の明るさが変動することによって輝度レベルが変動している（一度緩やかに変動し、安定した後、連続的に大きく変動している）。
【００４８】
被写体の明るさが安定している時刻ｔ０からｔ２までの期間では、各フレームについての図５の処理において制御許容値が減少し続ける（ステップＳ８，Ｓ９）ことによって制御許容値が制御値よりも小さくなり、その制御許容値によってオートアイリス機構が制御されるようになる（ステップＳ１０，Ｓ１２）ので、アイリス制御が輝度レベルに追従しなくなる。
【００４９】
その結果、図６Ｂのように、この時刻ｔ０からｔ２までの期間では、障害物の通過という外乱が存在した時刻ｔ１にも、アイリスの開閉の度合いはほとんど変化していない。したがって、実際には被写体の明るさは変化していないにもかかわらず、被写体の明るさが変動しているように撮影されることは防止される。
【００５０】
他方、時刻ｔ２以降のうち被写体自体の明るさが変動している期間では、各フレームについての図５の処理において制御許容値が増加し続ける（ステップＳ６，Ｓ７）ことによって制御許容値が制御値よりも大きくなり、制御値によってオートアイリス機構が制御されるようになる（ステップＳ１０，Ｓ１１）ので、アイリス制御が輝度レベルに追従するようになる。
【００５１】
その結果、図６Ｂのように、時刻ｔ２以降のうち被写体自体の明るさが変動している期間では、被写体の明るさの変動に対応してアイリスの開閉の度合いが変化している。したがって、被写体自体の明るさの変動に対するアイリス制御の追従性が高まっている。
【００５２】
このようにして、このビデオカメラは、外乱による輝度レベルの一時的変化や被写体の一部分のみの明るさの周期的変動にはアイリス制御が追従しないようになっているとともに、被写体自体の明るさの変動に対するアイリス制御の追従性が高まっている。
【００５３】
さらに、制御許容値の設定を、直前のフレームに設定した制御許容値を相対的に増減させて行っている（図５のステップＳ７，Ｓ９）ので、アイリス制御が輝度レベルに追従することに対する制限を、段階的に厳しくしたり緩やかにしたりすることができるようになっている。
【００５４】
なお、以上の例では、輝度レベルの時間的変動の大きさに応じて輝度レベルへの追従の度合いを制限してオートアイリス機構を制御するための具体的手段として、輝度レベルに基づいて計算した制御値と、輝度レベルの微分値の大小に応じて増減設定した制御許容値とのうちの小さいほうの値によってオートアイリス機構を制御している。しかし、これに限らず、他の適宜の手段により、輝度レベルの時間的変動の大きさに応じて輝度レベルへの追従の度合いを制限してオートアイリス機構を制御するようにしてもよい。
【００５５】
また、以上の例ではビデオカメラに本発明を適用しているが、これに限らず、オートアイリス機能付のあらゆる撮像装置に本発明を適用してよい。
【００５６】
また、本発明は、以上の例に限らず、本発明の要旨を逸脱することなく、その他様々の構成をとりうることはもちろんである。
【００５７】
【発明の効果】
以上のように、本発明によれば、輝度レベルの時間的変動が小さい期間（すなわち、被写体の明るさが安定している期間や、被写体の一部分のみの明るさが周期的に変動している期間）では、アイリス制御が輝度レベルに追従することに対する制限が厳しくなるので、アイリス制御が輝度レベルに追従しなくなる。
【００５８】
これにより、外乱による輝度レベルの一時的変化に追従して被写体体の明るさが変動しているように撮影されることや、被写体の一部分のみの明るさが周期的に変動していることを原因としてハンチングにより被写体全体の明るさが周期的に少しずつ変動しているように撮影されることがなくなる。
【００５９】
他方、輝度レベルの時間的変動が大きい期間（すなわち、被写体自体の明るさが或る程度以上変動している期間）では、アイリス制御が輝度レベルに追従することに対する制限が緩やかになるので、アイリス制御が輝度レベルに追従するようになる。これにより、被写体自体の明るさの変動に対するアイリス制御の追従性が高まる。
【００６０】
このようにして、外乱による輝度レベルの一時的変化や被写体の一部分のみの明るさの周期的変動にはアイリス制御が追従しないようになるとともに、被写体自体の明るさの変動に対するアイリス制御の追従性が高まるという効果が得られる。
【００６１】
さらに、制御許容値の設定を、直前に設定した制御許容値を相対的に増減させて行うことにより、アイリス制御が輝度レベルに追従することに対する制限を、段階的に厳しくしたり緩やかにしたりすることができるという効果も得られる。
【図面の簡単な説明】
【図１】オートアイリス機能付のビデオカメラの主要部の回路構成を示すブロック図である。
【図２】従来のアイリス制御の様子を例示する図である。
【図３】ゲインを下げた場合のアイリス制御の様子を例示する図である。
【図４】本発明を適用したビデオカメラの主要部の回路構成を示すブロック図である。
【図５】図４のマイクロコンピュータが実行するアイリス制御処理を示すタイミングチャートである。
【図６】図４のビデオカメラでのアイリス制御の様子を例示する図である。
【符号の説明】
１１光学レンズ系、  １２  撮像素子、  １３  ゲイン調整回路、  １４  ＡＤコンバータ、  １５  デジタル信号処理回路、  １６  ＤＡコンバータ、  １７  マイクロコンピュータ
【図１】
2004297382.tif 000003
【図２】
2004297382.tif 000004
【図３】
2004297382.tif 000005
【図４】
2004297382.tif 000006
【図５】
2004297382.tif 000007
【図６】
2004297382.tif 000008